(57)【特許請求の範囲】
【請求項１】
断熱壁内に前面が開口する陳列室を構成し、該陳列室内に商品陳列用の棚を架設して成るショーケースにおいて、
前記陳列室の背面に位置し、前記断熱壁との間に冷気が上昇する背面ダクトを構成するための背面パネルと、
前記棚に設けられ、後端の連通部にて前記背面ダクトに連通すると共に、前端に冷気吐出口が形成された棚ダクトと、
前記背面パネルに設けられ、前記連通部より上側における前記背面ダクト内に位置して複数の透孔が形成された整流板と、
前記背面パネルの前記背面ダクト側に上下移動可能に設けられ、前記整流板の透孔を開閉自在に閉塞するための切換板と、
左右に位置して前記切換板の上下動を案内するための案内部と、を備え、
該案内部は、前記切換板に形成された一対の長孔と、各長孔内にそれぞれ位置して前記背面パネルに取り付けられた一対の取付部を有し、各取付部間に渡る保持部と前記背面パネルとで前記切換板を上下移動可能に保持する保持部材とから成り、
前記長孔は、前記切換板の上下移動を許容する上下寸法を有し、且つ、上下方向における中間部が湾曲しながら拡幅されていることを特徴とするショーケース。
【請求項２】
前記切換板を上下移動させ、且つ、上昇した状態を保持するための操作部を備え、
該操作部は、前記背面パネルに形成され、上下方向に延在する背面パネル縦孔、及び、該背面パネル縦孔の上端から水平方向に延在する背面パネル横孔とから成る背面パネルクランク孔と、前記切換板に形成された水平方向に延在する切換板横孔と、前記陳列室側から前記背面パネルクランク孔及び切換板横孔に挿通された化粧ネジと、前記切換板の前記背面パネルとは反対側に位置して前記化粧ネジが螺合するナット板とから成り、
前記化粧ネジとナット板の螺合を緩めた状態で、前記化粧ネジは前記背面パネル縦孔内を上下移動可能であり、該背面パネル縦孔の上端に位置した状態で、前記背面パネル横孔と前記切換板横孔は合致し、前記化粧ネジは水平方向に移動可能となることを特徴とする請求項１に記載のショーケース。
【請求項３】
前記背面パネルに形成された複数の冷気吹出口を備え、前記切換板は、前記整流板の透孔を開放した状態で、前記冷気吹出口を開放し、前記整流板の透孔を閉じた状態では前記冷気吹出口を閉じることを特徴とする請求項１又は請求項２に記載のショーケース。
【請求項４】
前記背面パネルに形成され、前記棚ダクトの連通部に対応する連通孔と備え、前記切換板は、前記整流板の透孔を閉じた状態で、前記連通孔を開放し、前記整流板の透孔を開放した状態では前記連通孔を閉じることを特徴とする請求項１乃至請求項３の何れかに記載のショーケース。
【発明の詳細な説明】
【技術分野】
【０００１】
本発明は、断熱壁内に前面が開口する陳列室を構成し、この陳列室内に商品陳列用の棚を架設して成るショーケースに関する。
【背景技術】
【０００２】
従来よりスーパーマーケットやコンビニエンスストアなどに設置されるショーケースは、断熱壁の内側に間隔を存して設けた背面パネルとの間に背面ダクトを構成し、背面パネルの内側には陳列室を構成すると共に、背面ダクトには冷却器と送風機を設置し、この冷却器と熱交換した冷気を送風機により、背面ダクトから陳列室内に吹き出す構成とされている。
【０００３】
この場合、陳列室の開口上縁には冷気吐出口が形成されていると共に、開口下縁には冷気吸込口が形成され、いずれも背面ダクトに連通されている。そして、この開口上縁の冷気吐出口から冷気を吹き出し、エアーカーテンを形成しつつ陳列室内を冷却し、吹き出された冷気は開口下縁の冷気吹出口から吸引するものであった。
【０００４】
更に、この陳列室内には、複数段の棚が架設される。棚は、内部に棚ダクトが構成されており、後端には断熱壁の背方における背面ダクトと連通するための連通部が形成されている。また、棚の前端には、棚ダクトと連通する冷気吐出口が形成されている。これにより、背面ダクト内を上昇した冷気を連通部を介して棚ダクト内に引き込み、該棚の前端に形成された冷気吐出口より吐出することで、該棚下方の陳列室内を冷却するものであった（例えば特許文献１参照）。
【０００５】
ここで、陳列室内を異なる二温度帯、例えば、常温と冷却温度、若しくは、棚上面にヒータを有する場合には加温と冷却温度として使用する際には、棚ダクトを有する棚よりも上側の陳列室内を常温若しくは加温として使用し、棚ダクトを有する棚よりも下側の陳列室内を冷温として使用する。この際、背面ダクト内を上昇していく冷気が陳列室の開口上縁に形成された冷気吐出口や、棚ダクトを有する棚よりも上側の背面パネルに形成された冷気吹出口から漏出してしまうことを防止するため、背面ダクト内にダンパー部材を進出させて該背面ダクト内を上下に区画していた。
【０００６】
図２０には、従来技術の一例として、複数のパネル部材を複数、一部重複させながら組み合わせることによって背面パネルが構成されている場合の一つのパネル部材を示している。このパネル部材１００は、棚ダクト内に冷気を引き込む連通部１０１の高さ位置が、背面ダクト内に縦設される冷却器の上端よりも低い位置に形成されるため、連通部１０１の下方及び上方には、陳列室の背面から冷気を吹き出す冷気吹出口１０２、１０３が左右に渡って形成されている。そして、このパネル部材１００の上端は、冷却器の上端よりも高く位置し、背面ダクト側に略直角に折曲されて該背面ダクトを上下に区画する整流板１０４とされている。この整流板１０４には、背面ダクト内を上昇する冷気を整流するための複数の整流孔が左右に渡って形成されている。
【０００７】
この場合に、陳列室内を二温度帯として使用する場合には、断面略Ｌ字状に折曲された閉塞板１０６の上面１０６Ａを整流板１０４上面に沿って挿入し、当該正面１０６Ａにて整流板１０４の各整流孔を閉塞すると共に、閉塞板１０６の上面１０６Ａ前端から下方に延在する前面１０６Ｂにて連通部１０１よりも上方に位置する冷気吹出孔１０３を閉塞する（図２１の状態）。これにより、背面ダクト内の整流板１０４より上方への冷気流入及び、棚ダクトとの連通部より上方の冷気吹出孔１０３からの冷気流出を阻止していた。
【先行技術文献】
【特許文献】
【０００８】
【特許文献１】２００４−２６１５０２号公報
【発明の概要】
【発明が解決しようとする課題】
【０００９】
しかしながら、上述した如き従来の構成では、閉塞板１０６は、比較的大型の部品であるため、取扱性が悪く、取付作業が煩雑となる問題があった。また、陳列室内全領域を冷温として使用する場合には、上記閉塞板１０６を取り外した状態で使用することとなる。当該閉塞板１０６は、不使用時に背面パネルに取り付けた状態で保持することができないため、別途保管する必要がある。係る閉塞板１０６は、比較的大型の部品であるため、別途管理することが容易ではなく、紛失等を招来する問題がある。
【００１０】
本発明は従来の技術的課題を解決するために成されたものであり、背面ダクト内に位置する整流板の開閉を容易とするショーケースを提供する。
【課題を解決するための手段】
【００１１】
上記課題を解決するために、本発明のショーケースは、断熱壁内に前面が開口する陳列室を構成し、この陳列室内に商品陳列用の棚を架設して成るショーケースにおいて、陳列室の背面に位置し、断熱壁との間に冷気が上昇する背面ダクトを構成するための背面パネルと、棚に設けられ、後端の連通部にて背面ダクトに連通すると共に、前端に冷気吐出口が形成された棚ダクトと、背面パネルに設けられ、連通部より上側における背面ダクト内に位置して複数の透孔が形成された整流板と、背面パネルの背面ダクト側に上下移動可能に設けられ、整流板の透孔を開閉自在に閉塞するための切換板と、左右に位置して切換板の上下動を案内するための案内部と、を備え、この案内部は、切換板に形成された一対の長孔と、各長孔内にそれぞれ位置して背面パネルに取り付けられた一対の取付部を有し、各取付部間に渡る保持部と背面パネルとで切換板を上下移動可能に保持する保持部材とから成り、長孔は、切換板の上下移動を許容する上下寸法を有し、且つ、上下方向における中間部が湾曲しながら拡幅されていることを特徴とする。
【００１３】
請求項２の発明は、上記発明において、切換板を上下移動させ、且つ、上昇した状態を保持するための操作部を備え、この操作部は、背面パネルに形成され、上下方向に延在する背面パネル縦孔、及び、この背面パネル縦孔の上端から水平方向に延在する背面パネル横孔とから成る背面パネルクランク孔と、切換板に形成された水平方向に延在する切換板横孔と、陳列室側から背面パネルクランク孔及び切換板横孔に挿通された化粧ネジと、切換板の背面パネルとは反対側に位置して化粧ネジが螺合するナット板とから成り、化粧ネジとナット板の螺合を緩めた状態で、化粧ネジは背面パネル縦孔内を上下移動可能であり、この背面パネル縦孔の上端に位置した状態で、背面パネル横孔と切換板横孔は合致し、化粧ネジは水平方向に移動可能となることを特徴とする。
【００１４】
請求項３の発明は、上記各発明において、背面パネルに形成された複数の冷気吹出口を備え、切換板は、整流板の透孔を開放した状態で、前記冷気吹出口を開放し、前記整流板の透孔を閉じた状態では前記冷気吹出口を閉じることを特徴とする。
【００１５】
請求項４の発明は、上記各発明において、背面パネルに形成され、棚ダクトの連通部に対応する連通孔と備え、切換板は、整流板の透孔を閉じた状態で、連通孔を開放し、整流板の透孔を開放した状態では連通孔を閉じることを特徴とする。
【発明の効果】
【００１６】
本発明によれば、断熱壁内に前面が開口する陳列室を構成し、この陳列室内に商品陳列用の棚を架設して成るショーケースにおいて、陳列室の背面に位置し、断熱壁との間に冷気が上昇する背面ダクトを構成するための背面パネルと、棚に設けられ、後端の連通部にて背面ダクトに連通すると共に、前端に冷気吐出口が形成された棚ダクトと、背面パネルに設けられ、連通部より上側における背面ダクト内に位置して複数の透孔が形成された整流板と、背面パネルの背面ダクト側に上下移動可能に設けられ、整流板の透孔を開閉自在に閉塞するための切換板とを備えたので、切換板を背面パネルに上下移動させることで、容易に整流板の透孔を開閉することができる。特に、切換板の上下移動を背面パネルの陳列室内側から化粧ネジにて行うことを可能とすることによって、切換板の操作性を良好とすることができ、整流板の透孔の開閉作業を簡素化することができる。
【００１７】
更に、この切換板は背面パネルの背面ダクト側に位置して設けられているため、陳列室側から見えない構成とすることができ、外観の向上を図ることができる。
【００１８】
また、本発明によれば、左右に位置して切換板の上下動を案内するための案内部を備え、この案内部は、切換板に形成された一対の長孔と、各長孔内にそれぞれ位置して背面パネルに取り付けられた一対の取付部を有し、各取付部間に渡る保持部と背面パネルとで切換板を上下移動可能に保持する保持部材とから成り、長孔は、切換板の上下移動を許容する上下寸法を有し、且つ、上下方向における中間部が湾曲しながら拡幅されているので、切換板を上下移動させる際に、左右両端で高さ位置がずれてしまっても、当該ずれ分を上下方向における中間部が湾曲しながら拡幅された長孔内にて緩衝することができ、引っかかり、所謂かじりが生じてしまう不都合を効果的に防止することができる。
【００１９】
請求項２の発明によれば、上記発明において、切換板を上下移動させ、且つ、上昇した状態を保持するための操作部を備え、この操作部は、背面パネルに形成され、上下方向に延在する背面パネル縦孔、及び、この背面パネル縦孔の上端から水平方向に延在する背面パネル横孔とから成る背面パネルクランク孔と、切換板に形成された水平方向に延在する切換板横孔と、陳列室側から背面パネルクランク孔及び切換板横孔に挿通された化粧ネジと、切換板の背面パネルとは反対側に位置して化粧ネジが螺合するナット板とから成り、化粧ネジとナット板の螺合を緩めた状態で、化粧ネジは背面パネル縦孔内を上下移動可能であり、この背面パネル縦孔の上端に位置した状態で、背面パネル横孔と切換板横孔は合致し、化粧ネジは水平方向に移動可能となることにより、化粧ネジを締め付ける前に、当該化粧ネジを背面パネル横孔の高さ位置にて保持することが可能となり、締めつけ作業性を容易とすることができる。また、化粧ネジによる締め付けが万一緩んでしまった場合であっても、当該化粧ネジは、背面パネル横孔の高さ位置にて保持され、不用意に切換板が落下してしまい、整流板の透孔が開いてしまう不都合を抑制することができる。
【００２０】
請求項３の発明によれば、上記各発明に加えて、背面パネルに形成された複数の冷気吹出口を備え、切換板は、整流板の透孔を開放した状態で、前記冷気吹出口を開放し、前記整流板の透孔を閉じた状態では前記冷気吹出口を閉じることにより、棚ダクトと背面ダクトとを連通部にて連通させた状態では、棚ダクトより下側の背面パネルに形成された冷気吹出口から冷気が陳列室内に流出してしまうことを防止することができる。これにより、棚ダクトより下側の領域の陳列室内が冷えすぎてしまう不都合を抑止することができる。
【００２１】
請求項４の発明によれば、上記各発明に加えて、背面パネルに形成され、棚ダクトの連通部に対応する連通孔と備え、切換板は、整流板の透孔を閉じた状態で、連通孔を開放し、整流板の透孔を開放した状態では連通孔を閉じることにより、棚ダクトと背面ダクトとを連通させずに、陳列室内全領域を冷温使用する場合には、連通部を閉じることで棚ダクトからの冷気漏出を防止することができる。これにより、陳列室内上方への冷気供給を十分なものとすることができ、陳列室内全体の冷却効率を向上させることができる。
【図面の簡単な説明】
【００２２】
【図１】本発明を適用したショーケースの斜視図である（最上段の棚に棚ダクト部材を取り付けた状態）。
【図２】本発明を適用したショーケースの正面図である（上から二段目の棚に棚ダクト部材を取り付けた状態）。
【図３】図２のショーケースの縦断側面図である。
【図４】中間パネル部材の透視正面図（整流板の透孔を開放した状態）である。
【図５】図４の透視斜視図である。
【図６】図４の側面図である。
【図７】中間パネル部材の透視正面図（整流板の透孔を閉鎖した状態）である。
【図８】図７の透視斜視図である。
【図９】図７の側面図である。
【図１０】中間パネル部材に対し切換板の左右高さ位置がずれた状態の透視正面図である。
【図１１】図１０の透視斜視図である。
【図１２】図１０の側面図である。
【図１３】中間パネル部材の透視正面図（整流板の透孔を開放した状態）である。
【図１４】図１３の側面図である。
【図１５】中間パネル部材の透視正面図（整流板の透孔を閉鎖した状態）である。
【図１６】図１５の側面図である。
【図１７】従来の長孔が形成された中間パネル部材の透視正面図である。
【図１８】図１７の透視斜視図である。
【図１９】図１７の側面図である。
【図２０】従来の背面パネルの分解斜視図である。
【図２１】図２０の閉塞板を取り付けた状態を示す斜視図である。
【発明を実施するための形態】
【００２３】
以下、本発明の実施形態を図面に基づき詳細に説明する。図１は本発明を適用したショーケース１の斜視図、図２はショーケース１の正面図、図３は図２のショーケース１の縦断側面図を示している。図１では、最上段の棚２５に棚ダクト部材５０を取り付けた状態を示し、図２及び図３では、上から二段面の棚２６に棚ダクト部材５０を取り付けた状態をそれぞれ示している。
【００２４】
ショーケース１は前面に開口する断面略コ字状の断熱壁３と、その両側に取り付けられた側板４によって本体５が構成されており、この断熱壁３内に前面が開口する陳列室１１が構成されている。陳列室１１の背面に位置して、断熱壁３と間隔を存して背面パネル６が配設され、この背面パネル６と断熱壁３間に冷気が上昇する背面ダクト９が形成されている。また、背面パネル６の下端には、陳列室１１の底面に位置するデックパン１０が前方に延在して設けられ、デックパン１０と断熱壁３間に背面ダクト９と連通する下部ダクト１４が形成されている。更に、背面パネル６の上端には、陳列室１１の天面に位置する天面パネル７が前方に延在して設けられ、天面パネル７と断熱壁３間に背面ダクト９と連通する上部ダクト１５が形成されている。当該背面パネル６の詳細については後述する。
【００２５】
デックパン１０の前部上面には、陳列室１１の前面開口下縁に位置すると共に、複数のスリットから成る冷気吸込口１７が形成されており、該冷気吸込口１７は、下部ダクト１４に連通している。そして、天面パネル７の前部下面には、陳列室１１の前面開口上縁に位置して、上部冷気吐出口１６が形成されている。この上部冷気吐出口１６は、上部ダクト１５に連通すると共に、整流部材としてのハニカム１８が取り付けられている。
【００２６】
そして、下部ダクト１４内には冷気循環用送風機８が配設されると共に、背面ダクト９内には冷却装置の冷凍サイクルを構成する冷却器１２が縦設されている。
【００２７】
断熱壁３の下側には機械室１９が構成されており、この機械室１９内には前記冷却器１２と共に冷却装置の冷凍サイクルを構成する圧縮機や凝縮器１３、凝縮器用送風機が設置されると共に、電源や制御基板を収納した電装箱も配設される。断熱壁３の背方には当該断熱壁３の背面と所定の間隔を存して鋼板製の背面板２０が取り付けられており、この背面板２０と断熱壁３間には排気用ダクト２１が構成されている。
【００２８】
この排気用ダクト２１の下端は機械室１９の後部に開口して連通すると共に、上端はショーケース１上方に開放している。尚、２３は機械室１９の前面を開閉自在に閉じるパネルである。２４は機械室１９内下部に設けられた蒸発皿であり、図示しないドレンホースを介して冷却器１２からのドレン水（露水や除霜水など）が流入し、貯留されるものである。
【００２９】
一方、上記陳列室１１内には商品陳列用の棚が複数段、本実施例では上から順に、２５、２６、２７が三段架設されている。ここで、各棚２５、２６、２７は、略同一の構成とされているため、図２及び図３の上から二段目に取り付けられる棚２６を例に挙げて棚及び棚に取り付けられる棚ダクト部材５０について説明する。
【００３０】
棚２６は、一対のブラケット３０、３０により陳列室１１内に着脱自在に架設される。各ブラケット３０の後端には係合爪が形成されており、この係合爪を陳列室１１内の左右、即ち、背面パネル６の左右に上下に渡って取り付けられた支柱３１の係合孔３２に係脱自在に係合させることで、所定の高さ位置に取り付けられる。
【００３１】
棚２６は、これらブラケット３０、３０と、棚２６にそれぞれ取り付けられるスライドレール３１によって、ブラケット３０に対してそれぞれ前方に引出自在とされる。これにより、棚２６は陳列室１１内に押し込まれて保持された状態と、商品補充時に前面開口から手前側に引き出された状態とに保持可能とされている。
【００３２】
また、棚２６の商品載置面の裏側には、当該商品載置面を加熱する加温用ヒータ（電気ヒータ）が取り付けられている。加温使用時にはこの加温用ヒータが発熱して棚２６上の商品を加熱保温する。
【００３３】
そして、ブラケット３０、３０の内側には、棚２６の下側に位置して棚ダクト部材５０が着脱自在に設けられている。図１では、最上段の棚２５の下側に取り付けられており、図２及び図３では、上から二段目の棚２６の下側に取り付けられている。棚ダクト部材５０は、内部に棚ダクト５３が形成され、当該前端は、棚２６の前端よりも前方まで延在していると共に、当該後端は、棚２６の後端よりも後方まで延在している。そして、棚ダクト部材５０の後面（後端）は、後ろ向きに開口した連通部５１が形成され、下面前端には左右方向に延在して下向きに開口した中間冷気吐出口５２が形成されている。
【００３４】
ここで、棚ダクト部材５０の後端に形成される連通部５１は、棚２６の下側に位置して当該棚２６の背面に設けられる背面パネル６前面に当接して設けられるため、棚２６の傾斜角度に応じて上端が下端よりも後方に延在して形成される。他方、背面パネル６には、棚２６に取り付けられる棚ダクト部材５０の連通部５１に対応する位置（詳細は後述する中間パネル部材３７）に、背面ダクト９内と棚ダクト５３とを連通するための連通孔５４が左右に渡って複数、形成されている。尚、当該連通孔５４は、各棚２５、２７に取り付けられる棚ダクト部材５０が対応する位置に形成されているものとする。
【００３５】
また、当該棚ダクト部材５０の後端には、背面ダクト９側に突出するダンパー操作部５５が設けられている。当該ダンパー操作部５５は、当該棚ダクト部材５０が最上段の棚２５に取り付けられた場合に、背面パネル６に設けられた図示しないダンパー部材を閉じる方向に操作するものである。
【００３６】
次に、本実施例における背面パネル６の構成について詳述する。本実施例における背面パネル６は、複数のパネル部材の上下端部を一部重複させて組み合わせることによって構成されている。ここでは、背面パネル６は、最上段の棚２５上の背面に対応する上部パネル部材３５と、最上段の棚２５の後方に対応する最上段用パネル部材３６と、上から二段目の棚２６上の背面、棚後方、最下段の棚２７上の背面に対応する中間パネル部材３７と、最下段の後方に対応する下部パネル部材３８とから構成されている。
【００３７】
これら各パネル部材３５乃至３８の上下方向における重複量を変更することにより、各棚２５、２６、２７の取付高さを任意に変更することができる。尚、当該背面パネル６は本実施例では、複数枚のパネル部材にて構成しているが、一枚のパネルにて構成してもよい。
【００３８】
最上段用パネル部材３６は、最上段の棚２５の後方に位置し、当該棚２５の所定寸法上方及び下方に延在して構成されている。この最上段用パネル部材３６には、最上段の棚２５に取り付けられる棚ダクト部材５０の高さ位置に対応して、図示しない操作部挿入口が形成されている。当該操作部挿入口に対応する位置の背面ダクト９側の面には、上記棚ダクト部材５０に設けられたダンパー操作部５５の進退によって回動自在とされるダンパー部材が設けられている。このダンパー部材は、ダンパー操作部５５の背面ダクト９側への進出によって当該高さ位置において背面ダクト９を閉塞し、該ダンパー部材が背面ダクト９側から退避すると、自重によって背面ダクト９を開放する。
【００３９】
次に、中間パネル部材３７の構成について図４乃至図９を参照して説明する。図４は中間パネル部材３７の透視正面図（整流板４０の透孔４１を開放した状態）、図５は図４の透視斜視図、図６は図４の側面図、図７は中間パネル部材３７の透視正面図（整流板４０の透孔４１を閉鎖した状態）、図８は図７の透視斜視図、図９は図７の側面図をそれぞれ示している。
【００４０】
中間パネル部材３７は、少なくとも上端が背面ダクト９内に縦設される冷却器１２の上端よりも高く延在して構成されており、当該中間パネル部材３７の上端は、背面ダクト９の左右に渡って当該背面ダクト９側に略直角に折曲され、該背面ダクト９内に位置する整流板４０が形成される。当該整流板４０には、左右に渡って複数の透孔４１が形成されている。図中、４０Ａは整流板４０の後端から折曲されたフランジであり、断熱壁３の背面ダクト９側の面にネジ止めにて固定される。
【００４１】
この中間パネル部材３７には、上述したように、棚２６に取り付けられる棚ダクト部材５０の連通部５１に対応する位置に、背面ダクト９内と棚ダクト５３とを連通するための連通孔５４が左右に渡って複数、形成されている。そして、当該連通孔５４よりも上方には、当該棚２６上の背面に対応して背面ダクト９内と陳列室１１側とを連通するための冷気吹出口４２が左右に渡って複数、形成されている。また、連通孔５４よりも下方には、当該棚２６の下側の棚２７上の背面に対応して背面ダクト９内と陳列室１１側とを連通するための冷気吹出口４３が左右に渡って複数、形成されている。
【００４２】
そして、この中間パネル部材３７の背面ダクト９側には、整流板４０の透孔４１を開閉自在に閉塞するための切換板４５が上下移動可能に設けられている。当該切換板４５は、断面略Ｌ字状に板材により構成されており、上面４５Ａが中間パネル部材３７の整流板４０に当接することで、該上面４５Ａによって透孔４１を閉塞し、上面４５Ａが整流板４０から離間することで、透孔４１を開放する。
【００４３】
本実施例では、切換板４５が取り付けられる中間パネル部材３７には、上下方向に延在する背面パネル縦孔４６が形成されており、当該背面パネル縦孔４６を陳列室１１側から挿通する化粧ネジ４７が切換板４５に設けられている。当該化粧ネジ４７を緩めることで、切換板４５は、中間パネル部材３７の背面パネル縦孔４６内を上下移動可能とされ、化粧ネジ４７を締めつけることで、当該位置にて切換板４５を中間パネル部材３７に固定（保持）することができる。本実施例では、当該背面パネル縦孔４６及び化粧ネジ４７は、所定間隔を存して２箇所（複数）設けられている。
【００４４】
そして、この中間パネル部材３７には、左右に位置して切換板４５の上下動を案内するための案内部５８が設けられている。この案内部５８は、切換板４５に形成された一対の長孔５９、５９と、保持部材６０とから構成される。
【００４５】
本実施例における長孔５９、５９は、切換板４５の上下移動を許容する上下寸法を有していると共に、上下方向における中間部が湾曲しながら拡幅されてた略樽状を呈している。保持部材６０は、一対の取付部６０Ａ、６０Ａと、各取付部６０Ａ、６０Ａ間に渡る保持部６０Ｂとから構成され、保持部６０Ｂが背面ダクト９側に位置し、各取付部６０Ａ、６０Ａが切換板４５に形成された各長孔５９、５９内にそれぞれ位置した状態で、各取付部６０Ａ、６０Ａは、陳列室１１側からネジ等の固定部材６１、６１にて中間パネル部材３７に取り付けられている。
【００４６】
これにより、取付部６０Ａ、６０Ａ間に渡る保持部６０Ｂ前面と中間パネル部材３７の後面とで切換板４５が長孔５９が形成されている範囲で上下移動可能に保持される。
【００４７】
そして、この切換板４５の下端は、中間パネル部材３７に対して上側に移動した状態、即ち、上面４５Ａが整流板４０の透孔４１を閉じた状態で、棚ダクト５３と、背面ダクト９とを連通させる連通孔５４の上方に位置して当該連通孔５４を開放すると共に、中間パネル部材３７に対して下側に移動した状態、即ち、上面４５Ａが整流板４０の透孔４１を開放した状態で、連通孔５４を閉じる寸法に形成されている。
【００４８】
また、切換板４５の中間パネル部材３７と当接する面には、中間パネル部材３７に対して下側に移動した状態、即ち、上面４５Ａが整流板４０の透孔４１を開放した状態で、棚２６上の背面に対応して背面ダクト９内と陳列室１１側とを連通するための冷気吹出口４２と重合し、当該冷気吹出口４２を開放する切換板側冷気吹出口６３が形成されている。
【００４９】
当該切換板側冷気吹出口６３は、中間パネル部材３７に対して上側に移動した状態、即ち、上面４５Ａが整流板４０の透孔４１を閉じた状態では、中間パネル部材３７に形成される冷気吹出口４２と位置がずれることで閉じられる。本実施例では、当該切換板側冷気吹出口６３は、中間パネル部材３７側の冷気吹出口４２よりも少許大きく形成されている。
【００５０】
尚、当該背面パネル６が複数のパネル部材から成る場合について説明しているが、これに限定されるものではなく、一枚のパネルにて構成される場合には、整流板４０は、棚２６に取り付けられる棚ダクト部材５０の連通部５１に対応する位置よりも上側に位置して設けられ、切換板４５は、当該整流板４０の下側に位置して、背面パネル６の背面ダクト９側に上下移動可能に設けられるものとする。
【００５１】
以上の構成により、最上段を構成する棚２５より上側の陳列室１１を加温領域として加温使用し、棚２５より下側の陳列室１１を冷却領域として冷蔵使用する場合は、図１に示すように、棚ダクト部材５０を棚２５の下側に取り付ける。これにより、棚ダクト部材５０のダンパー操作部５５が最上段用パネル部材３６（背面パネル６）に取り付けられた図示しないダンパー部材を背面ダクト９側に回動させて、当該背面ダクト９が係る高さにて閉塞される。
【００５２】
また、この場合、中間パネル部材３７に取り付けられる切換板４５は、図４乃至図６に示されるように、化粧ネジ４７を背面パネル縦孔４６内の下側に移動させて、即ち、切換板４５を、中間パネル部材３７に対して下側に移動させて、上面４５Ａが整流板４０の透孔４１を開放した状態とする。この際、当該切換板４５によって、中間パネル部材３７に形成される連通孔５４は閉塞される。また、中間パネル部材３７に形成される冷気吹出口４２と、切換板４５に形成される切換板側冷気吹出口６３とは重合されて、当該冷気吹出口４２が開放される。
【００５３】
この状態で、冷気循環用送風機８が運転されると、冷却器１２と熱交換した冷気の一部は、背面ダクト９内を上昇し、中間パネル部材３７の上端に形成された整流板４０の透孔４１を透過する過程で整流された後、最上段用パネル部材３６に形成された連通孔５４を介して棚２５に取り付けられる棚ダクト部材５０の連通部５１より棚ダクト５３内に流入し、中間冷気吐出口５２から陳列室１１内下部に向けて吐出される。また、残りの冷気は、背面パネル６（中間パネル部材３７）に形成された冷気吹出口４２、４３より陳列室１１の背面から当該陳列室１１内に吐出される。
【００５４】
棚ダクト部材５０の前端下面に形成された中間冷気吐出口５２から吐出された冷気は、棚２５より下側の陳列室１１の前面開口に冷気エアーカーテンを形成しながら当該陳列室１１内を冷却する。そして、冷気吸込口１７から下部ダクト１４に吸引され、再び送風機８に吸い込まれる循環を繰り返す。
【００５５】
従って、最上段の棚２５より下側の陳列室１１内は、当該棚２５の下側に取り付けられる棚ダクト部材５０を介して前面開口に冷気供給されることにより、冷却領域とされ冷蔵使用することができる。他方、最上段の棚２５の電気ヒータに通電を行うことで最上段の棚２５より上側の陳列室１１内は、冷気供給の停止及び電気ヒータの通電により加温領域とされ、温蔵使用することができるようになる。
【００５６】
他方、上から二段目の棚２６より上側の陳列室１１を加温領域として加温使用し、棚２６より下側の陳列室１１を冷却領域として冷蔵使用する場合は、図２、図３に示すように、棚ダクト部材５０を棚２６の下側に取り付ける。この際、棚ダクト部材５０のダンパー操作部５５は、中間パネル部材３７に形成された操作部挿入口５６を介して背面ダクト９側に進出し、当該棚ダクト部材５０の取付を支障なく行うことができる。
【００５７】
この場合、中間パネル部材３７に取り付けられる切換板４５は、図７乃至図９に示されるように、化粧ネジ４７を背面パネル縦孔４６内の上側に移動させて、即ち、切換板４５を中間パネル部材３７に対して上側に移動させて、上面４５Ａが整流板４０の透孔４１を閉鎖した状態とする。この際、当該切換板４５によって、中間パネル部材３７に形成される連通孔５４は開放される。また、中間パネル部材３７に形成される冷気吹出口４２と、切換板４５に形成される切換板側冷気吹出口６３とは、ずれた位置となり、当該冷気吹出口４２は閉塞される。
【００５８】
この状態で、冷気循環用送風機８が運転されると、冷却器１２と熱交換した冷気は、背面ダクト９内を上昇し、中間パネル部材３７の上端に形成された整流板４０の透孔４１は、切換板４５の上面４５Ａにて閉塞されており、中間パネル部材３７に形成された連通孔５４は開放されているため、当該連通孔５４を介して棚２６に取り付けられる棚ダクト部材５０の連通部５１より棚ダクト５３内に流入し、中間冷気吐出口５２から陳列室１１内下部に向けて吐出される。
【００５９】
棚ダクト部材５０の前端下面に形成された中間冷気吐出口５２から吐出された冷気は、棚２６より下側の陳列室１１の前面開口に冷気エアーカーテンを形成しながら当該陳列室１１内を冷却する。そして、冷気吸込口１７から下部ダクト１４に吸引され、再び送風機８に吸い込まれる循環を繰り返す。
【００６０】
従って、上から二段目の棚２６より下側の陳列室１１内は、当該棚２６の下側に取り付けられる棚ダクト部材５０を介して前面開口に冷気供給されることにより、冷却領域とされ冷蔵使用することができる。この際、棚ダクト部材５０の中間冷気吐出口５２から冷気が吐出される棚２６上の陳列室１１の背面に位置する冷気吹出口４２は、切換板４５にて閉塞された状態とされるため、当該冷気吹出口４２から冷気が陳列室１１内に流出してしまうことを防止することができる。これにより、棚ダクト５３より下側の領域の陳列室１１内が冷えすぎてしまう不都合を抑止することができる。
【００６１】
他方、最上段の棚２５及び上から二段目の棚２６の電気ヒータに通電を行うことで上から二段目の棚２６より上側の陳列室１１内は、冷気供給の停止及び電気ヒータの通電により加温領域とされ、温蔵使用することができるようになる。
【００６２】
また、上から二段目の棚２６に棚ダクト部材５０が取り付けられた状態で、陳列室１１全体を冷温領域として冷蔵使用する場合には、中間パネル部材３７に取り付けられる切換板４５は、図４乃至図６に示されるように、化粧ネジ４７を背面パネル縦孔４６内の下側に移動させて、即ち、切換板４５を中間パネル部材３７に対して下側に移動させて、上面４５Ａが整流板４０の透孔４１を開放した状態とする。この際、当該切換板４５によって、中間パネル部材３７に形成される連通孔５４は閉鎖される。また、中間パネル部材３７に形成される冷気吹出口４２と、切換板４５に形成される切換板側冷気吹出口６３とは、重合した位置となり、当該冷気吹出口４２は開放される。
【００６３】
この状態で、冷気循環用送風機８が運転されると、冷却器１２と熱交換した冷気は、背面ダクト９内を上昇し、中間パネル部材３７の上端に形成された整流板４０の透孔４１を透過する過程で整流された後、上部ダクト１５内に流入して陳列室１１の前面開口上縁に形成される上部冷気吐出口１６から陳列室１１内下部に向けて吐出される。
【００６４】
上部冷気吐出口１６から吐出された冷気は、陳列室１１の前面開口に冷気エアーカーテンを形成しながら当該陳列室１１内を冷却する。そして、冷気吸込口１７から下部ダクト１４に吸引され、再び送風機８に吸い込まれる循環を繰り返す。
【００６５】
この際、切換板４５によって、棚ダクト５３の連通部５１に対応する連通孔５４は、閉じられるため、棚ダクト５３からの冷気漏出を防止することができる。これにより、陳列室１１内上方への冷気供給を十分なものとすることができ、陳列室１１内全体の冷却効率を向上させることができる。
【００６６】
このように、陳列室１１の前面開口上縁から該陳列室１１内に冷気供給されることにより、陳列室１１内全域を冷蔵使用することができる。
【００６７】
上述したように、本実施例では、切換板４５を中間パネル部材３７（背面パネル６）に対して上下移動させることで、容易に背面ダクト９内に設けられる整流板４０の透孔４１を開閉することができる。特に、切換板４５の上下移動を中間パネル部材３７の陳列室１１内側から化粧ネジ４７にて行うことを可能とすることによって、切換板４５の操作性を良好とすることができ、整流板４０の透孔４１の開閉作業を簡素化することができる。
【００６８】
更に、この切換板４５は中間パネル部材３７の背面ダクト９側に位置して設けられているため、陳列室１１側から見えない構成とすることができ、外観の向上を図ることができる。
【００６９】
また、上記切換板４５の中間パネル部材３７に対する上下移動では、切換板４５は、切換板４５に形成された一対の長孔５９、５９と、各長孔５９内にそれぞれ位置して中間パネル部材３７に取り付けられた一対の取付部６０Ａ、６０Ａを有し、各取付部６０Ａ、６０Ａ間に渡る保持部６０Ｂと中間パネル部材３７とで切換板４５を上下移動可能に保持する保持部材６０とから成る案内部５８を有しているため、切換板４５は、取付部６０Ａが長孔５９内を移動する範囲で移動が可能となり、円滑な上下動を実現することができる。
【００７０】
この際、本実施例では、取付部６０Ａが移動する長孔５９は、図１７乃至図１９に示すように、上下で同一の幅寸法に形成される場合と異なり、上下方向における中間部が湾曲しながら拡幅されてた略樽状を呈しているため、切換板４５を上下移動させる際に、左右両端で高さ位置がずれてしまっても、図１０乃至図１２に示すように、当該ずれ分を上下方向における中間部が湾曲しながら拡幅された長孔５９内にて緩衝することができ、引っかかり、所謂かじりが生じてしまう不都合を効果的に防止することができる。
【００７１】
当該中間パネル部材３７に設けられる切換板４５の左右寸法は、背面パネル６（中間パネル部材３７）の寸法に応じて構成されるため、比較的大きくなる。そのため、切換板４５の上下移動を案内するための案内部５８を中間パネル部材３７の左右側部にそれぞれ位置して設けても、両側部で高さ位置をほぼ同様の状態を維持して移動させることは困難となる。この際、図１７乃至図１９に示すように、長孔５９が上下でほぼ同一の幅寸法に形成されていた場合、当該両側部における高さ位置のずれを緩衝することができず、引っかかった状態となってしまう。しかしながら、本実施例では、図１０乃至図１２に示すように、長孔５９が上下方向における中間部が湾曲しながら拡幅されてた略樽状を呈していることで、両側部で高さ位置がずれてしまっても、当該ずれを略樽形状にて余裕を持って緩衝でき、上下移動作業性を向上させることができる。
【００７２】
尚、切換板４５を上下移動させる構成はこれに限定されない。他の実施例を図１３乃至図１６を参照して説明する。図１３は中間パネル部材３７の透視正面図（整流板４０の透孔４１を開放した状態）、図１４は図１３の側面図、図１５は中間パネル部材３７の透視正面図（整流板４０の透孔４１を閉鎖した状態）、図１６は図１５の側面図をそれぞれ示している。
【００７３】
この場合、切換板４５を上下移動させ、且つ、上昇した状態を保持する操作部６５は、中間パネル部材３７（背面パネル６）に形成される背面パネルクランク孔６６と、切換板に形成された水平方向に延在する切換板横孔６９と、陳列室１１側から背面パネルクランク孔６６及び切換板横孔６９に挿通された化粧ネジ７０と、切換板４５の中間パネル部材３７（背面パネル６）とは反対側に位置して化粧ネジ７０が螺合するナット板７１とから構成される。
【００７４】
背面パネルクランク孔６６は、上下方向に延在する背面パネル縦孔６７と、当該背面パネル縦孔６７の上端から水平方向に延在する背面パネル横孔６８とから構成される。当該背面パネル横孔６８と、切換板４５に形成される切換板横孔６９とは、略重合される位置及び大きさに形成される。また、ナット板７１は、切換板４５の切換板横孔６９の方向にのみ移動可能とされると共に、少なくとも切換板横孔６９を閉塞する寸法に形成されていることが望ましい。
【００７５】
以上の構成により、切換板４５を中間パネル部材３７（背面パネル６）に対して下げた状態、図１３、図１４の整流板４０の透孔４１を開放した状態から当該透孔４１を閉じる方向に移動させる場合には、先ず、化粧ネジ７０とナット板７１の螺合を緩めた状態とし、化粧ネジ７０を背面パネル縦孔６７内を上方に移動させる。当該化粧ネジ７０が背面パネル縦孔６７の上端に位置した状態で、背面パネル横孔６８と切換板横孔６９とは合致した状態とされる（図１５、図１６）。この状態で、化粧ネジ７０を、合致している背面パネル横孔６８と切換板横孔６９内を水平方向に移動させる。この際、化粧ネジ７０は、背面パネル横孔６８の高さ位置にて保持することが可能となり、締めつけ作業性を容易とすることができる。その後、化粧ネジ７０とナット板７１との螺合を締めつける。
【００７６】
係る構成とすることにより、化粧ネジ７０による締め付けが万一緩んでしまった場合であっても、当該化粧ネジ７０は、背面パネル横孔６８の高さ位置にて保持され、不用意に切換板４５が落下してしまい、整流板４０の透孔４１が開いてしまう不都合を抑制することができる。また、ナット板７１は、切換板横孔６９を閉塞する寸法に形成されるため、当該横孔を閉塞することができ、当該孔からの冷気漏洩を防止することができる。
【００７７】
尚、図１３乃至図１６では、案内部５８の長孔５９は、上下で同一の幅寸法に形成されているが、上記実施例と同様に、上下方向における中間部が湾曲しながら拡幅されてた略樽状とすることがより望ましい。
【符号の説明】
【００７８】
１    ショーケース
６    背面パネル
８    冷気循環用送風機
９    背面ダクト
１０    デックパン
１１    陳列室
１２    冷却器
１３    凝縮器
１４    下部ダクト
１５    上部ダクト
１６    上部冷気吐出口
１７    冷気吸込口
１９    機械室
２０    背面板
２５、２６、２７  商品陳列用の棚
３０    ブラケット
３５    上部パネル部材
３６    最上段用パネル部材
３７    中間パネル部材
３８    下部パネル部材
４０    整流板
４１    透孔
４２、４３  冷気吹出口
４５    切換板
４５Ａ  上面
４６    背面パネル縦孔
４７    化粧ネジ
５０    棚ダクト部材
５１    連通部
５２    中間冷気吐出口
５３    棚ダクト
５４    連通孔
５５    ダンパー操作部
５６    操作部挿入口
５８    案内部
５９    長孔
６０    保持部材
６０Ａ  取付部
６０Ｂ  保持部
６１    固定部材
６３    切換板側冷気吹出口
６５    操作部
６６    背面パネルクランク孔
６７    背面パネル縦孔
６８    背面パネル横孔
６９    切換板横孔
７０    化粧ネジ
７１    ナット板
【図１】
0005919514.tif 000002
【図２】
0005919514.tif 000003
【図３】
0005919514.tif 000004
【図４】
0005919514.tif 000005
【図５】
0005919514.tif 000006
【図６】
0005919514.tif 000007
【図７】
0005919514.tif 000008
【図８】
0005919514.tif 000009
【図９】
0005919514.tif 000010
【図１０】
0005919514.tif 000011
【図１１】
0005919514.tif 000012
【図１２】
0005919514.tif 000013
【図１３】
0005919514.tif 000014
【図１４】
0005919514.tif 000015
【図１５】
0005919514.tif 000016
【図１６】
0005919514.tif 000017
【図１７】
0005919514.tif 000018
【図１８】
0005919514.tif 000019
【図１９】
0005919514.tif 000020
【図２０】
0005919514.tif 000021
【図２１】
0005919514.tif 000022